(57)【特許請求の範囲】
【請求項１】
乗員が着座するシート本体と、
前記シート本体に乗員を拘束すると共に、乗員の肩部と対向する長尺帯状のショルダーハーネスを含むシートベルトと、
乗員の肩部とショルダーハーネスとの間に介在されるショルダーパッドと、
袋状に形成されると共に、前記ショルダーハーネスが挿通された一対の挿通孔が形成されて前記ショルダーハーネスに取り付けられ、前記ショルダーパッドを内部に収容すると共に、開口部が形成され、前記ショルダーハーネスに取り付けられた状態で前記開口部から前記ショルダーパッドを出し入れ可能とされたハーネスカバーと、
を備えた車両用チャイルドシート。
【請求項２】
前記開口部は、前記ショルダーハーネスの幅方向に開口している請求項１に記載の車両用チャイルドシート。
【請求項３】
前記ハーネスカバーは、
袋状に形成されて前記ショルダーパッドを内部に収容すると共に、前記一対の挿通孔及び前記開口部が形成された本体部と、
前記本体部における前記開口部の縁部から延出され、前記本体部側へ折り返されることにより前記開口部を覆う扉部と、
前記本体部側へ折り返された扉部を前記本体部に係止する扉係止部と、
を有する請求項１又は請求項２に記載の車両用チャイルドシート。
【請求項４】
前記ハーネスカバーは、
袋状に形成されて前記ショルダーパッドを内部に収容すると共に、前記一対の挿通孔及び前記開口部が形成された本体部と、
前記本体部において乗員の肩部と対向する面に取り付けられ、前記本体部よりも表面の摩擦係数が高く設定された滑り止め部と、
を有する請求項１〜請求項３の何れか１項に記載の車両用チャイルドシート。
【請求項５】
前記ハーネスカバーの前記開口部は、前記ショルダーパッドよりも短く形成されており、前記ショルダーパッドが前記ハーネスカバーに出し入れされる際には前記ショルダーパッドが曲げられる請求項１〜請求項４の何れか１項に記載の車両用チャイルドシート。
【請求項６】
前記ハーネスカバーの前記本体部には、前記開口部の縁部において前記扉部が延出された側とは反対側に、切欠部が形成されている請求項３に記載の車両用チャイルドシート。
【請求項７】
前記ショルダーパッドは、
可撓性を有する材料によって形成され、前記ショルダーハーネスに沿って配置される長尺な板状部を含む保持部材と、
それぞれが前記保持部材よりも硬質な材料によって形成され、前記板状部における前記ショルダーハーネス側の面に、前記板状部の長手方向に間隔をあけて取り付けられた複数の硬質部材と、
を有する請求項１〜請求項６の何れか１項に記載の車両用チャイルドシート。
【請求項８】
前記ショルダーパッドは、前記ショルダーハーネスの長手方向に沿った長尺状に形成されており、前記ショルダーパッドの長手方向両端部には、それぞれ前記ショルダーハーネスの幅方向両端部に対して乗員とは反対側から対向する一対のガイド爪が設けられている請求項１〜請求項７の何れか１項に記載の車両用チャイルドシート。
【請求項９】
袋状に形成されると共に、車両用チャイルドシートに着座した乗員を拘束するシートベルトに設けられたショルダーハーネスが挿通される一対の挿通孔が形成されて前記ショルダーハーネスに取り付けられ、内部にショルダーパッドを収容すると共に、開口部が形成され、前記ショルダーハーネスに取り付けられた状態で前記開口部から前記ショルダーパッドを出し入れ可能とされる本体部と、
前記本体部における前記開口部の縁部から延出され、前記本体部側へ折り返されることにより前記開口部を覆う扉部と、
前記本体部側へ折り返された扉部を前記本体部に係止する扉係止部と、
を備えたハーネスカバー。
【発明の詳細な説明】
【技術分野】
【０００１】
本発明は、車両用チャイルドシート、及び車両用チャイルドシートのシートベルトに設けられたショルダーハーネスに取り付けられて、ショルダーパッドを内部に収容するハーネスカバーに関する。
【背景技術】
【０００２】
下記特許文献１には、車両用チャイルドシートに設けられたシートベルト用のショルダーパッドが記載されている。このショルダーパッドは、子供の乗員の肩部と接するようにショルダーストラップ（ショルダーハーネス）の下に位置決めされる本体部と、シートバックへの係留用のテザーストラップと、本体部とテザーストラップとを連結した二股状のヨークとを有している。二股状のヨークの間には、ショルダーハーネスが挿通されており、テザーストラップは、ショルダーハーネスの上をシート後方側へ延びている。また、このショルダーパッドは、織物のカバーによって一部が囲まれている。
【０００３】
上記のショルダーパッドでは、事故の際に、本体部に設けられた摩擦増加面をショルダーハーネスと係合させることにより、ショルダーハーネスに対する摩擦抵抗を増加させ、子供の前方への動きを制限するようにしている。
【先行技術文献】
【特許文献】
【０００４】
【特許文献１】特開２００３−２７６５５９号公報
【発明の概要】
【発明が解決しようとする課題】
【０００５】
ところで、車両用チャイルドシートには、乳児から幼児までの子供が着座可能とされるが、小さな幼児に対しては、上述の如きショルダーパッドによって圧迫感を与える可能性がある。このため、乗員が乳児か幼児か等に応じて、ショルダーパッドを取付けたり取外したりすることが好ましい。
【０００６】
しかしながら、上述のショルダーパッドでは、二股状のヨークの間の孔にショルダーストラップが挿通されると共に、織物カバーによって一部が囲われた構成になっているため、取付け取外しの作業が煩雑である。つまり、一般にショルダーハーネスは、タングプレートとは反対側の端部がシートバックの背面側に設けられた係止金具（ハンガー）に係止されており、ショルダーパッドの取付け取外しに際しては、ハンガーへの係止を外さなければならないため、作業が煩雑になる。
【０００７】
本発明は上記事実を考慮し、ショルダーパッドの取付け取外しを容易に行うことができる車両用チャイルドシート及びハーネスカバーを得ることを目的とする。
【課題を解決するための手段】
【０００８】
請求項１に記載の発明に係る車両用チャイルドシートは、乗員が着座するシート本体と、前記シート本体に乗員を拘束すると共に、乗員の肩部と対向する長尺帯状のショルダーハーネスを含むシートベルトと、乗員の肩部とショルダーハーネスとの間に介在されるショルダーパッドと、袋状に形成されると共に、前記ショルダーハーネスが挿通された一対の挿通孔が形成されて前記ショルダーハーネスに取り付けられ、前記ショルダーパッドを内部に収容すると共に、開口部が形成され、前記ショルダーハーネスに取り付けられた状態で前記開口部から前記ショルダーパッドを出し入れ可能とされたハーネスカバーと、を備えている。
【０００９】
請求項１に記載の発明では、ハーネスカバーに形成された一対の挿通孔にショルダーハーネスが挿通されることにより、ハーネスカバーがショルダーハーネスに取り付けられている。このハーネスカバーは、袋状に形成されており、このハーネスカバーの内部に収容されたショルダーパッドが、乗員の肩部とショルダーハーネスとの間に介在される。これにより、車両衝突時に、乗員の肩部を効果的に拘束することが可能になり、胸部への圧迫を緩和しつつ、乗員の前方への動きを効果的に制限することができる。しかも、上記のハーネスカバーには開口部が形成されており、該ハーネスカバーがショルダーハーネスに取り付けられた状態で、前記開口部からショルダーパッドを出し入れ可能とされている。このため、乗員が乳児か幼児か等に応じて、ショルダーパッドの取付け取外しを容易に行うことができる。
【００１０】
請求項２に記載の発明に係る車両用チャイルドシートは、請求項１において、前記開口部は、前記ショルダーハーネスの幅方向に開口している。
【００１１】
請求項２に記載の発明では、ハーネスカバーの開口部が、ショルダーハーネスの幅方向に開口しているため、ショルダーハーネスの長手方向に開口している場合と比較して、ショルダーパッドの出し入れを容易に行うことができる。
【００１２】
請求項３に記載の発明に係る車両用チャイルドシートは、請求項１又は請求項２において、前記ハーネスカバーは、袋状に形成されて前記ショルダーパッドを内部に収容すると共に、前記一対の挿通孔及び前記開口部が形成された本体部と、前記本体部における前記開口部の縁部から延出され、前記本体部側へ折り返されることにより前記開口部を覆う扉部と、前記本体部側へ折り返された扉部を前記本体部に係止する扉係止部と、を有している。
【００１３】
請求項３に記載の発明では、ハーネスカバーにおいて袋状に形成された本体部内にショルダーパッドが収容される。この本体部には、ショルダーハーネスが挿通される一対の挿通孔と、ショルダーパッドを出し入れするための開口部とが形成されており、開口部の縁部からは、扉部が延出されている。この扉部は、本体部側へ折り返されて本体部の開口部を覆った状態で扉係止部により本体部に係止される。これにより、本体部の内部に収容されたショルダーパッドが開口部を介して外から見えないようにすることができるので、外観を良好にすることができる。また、ショルダーパッドが乗員に接しないようにすることができるので、乗員の快適性を向上させることができる。
【００１４】
請求項４に記載の発明に係る車両用チャイルドシートは、請求項１〜請求項３の何れか１項において、前記ハーネスカバーは、袋状に形成されて前記ショルダーパッドを内部に収容すると共に、前記一対の挿通孔及び前記開口部が形成された本体部と、前記本体部において乗員の肩部と対向する面に取り付けられ、前記本体部よりも表面の摩擦係数が高く設定された滑り止め部と、を有している。
【００１５】
請求項４に記載の発明では、ハーネスカバーにおいて袋状に形成された本体部内にショルダーパッドが収容される。この本体部において乗員の肩部と対向する面には、滑り止め部が取り付けられている。この滑り止め部は、ハーネスカバーの本体部よりも表面の摩擦係数が高く設定されている。このため、ハーネスカバー及び該ハーネスカバー内に収容されたショルダーパッドが乗員の肩部に対して不用意に位置ずれしないようにすることができる。
【００１６】
請求項５に記載の発明に係る車両用チャイルドシートは、請求項１〜請求項４の何れか１項において、前記ハーネスカバーの前記開口部は、前記ショルダーパッドよりも短く形成されており、前記ショルダーパッドが前記ハーネスカバーに出し入れされる際には前記ショルダーパッドが曲げられる。
【００１７】
請求項５に記載の発明では、上記構成により、ショルダーパッドを曲げなければショルダーパッドをハーネスカバーに出し入れできなくなるため、ショルダーパッドがハーネスカバーから不用意に脱落することや、ハーネスカバーに対して不用意に位置ずれすることを防止又は抑制できる。
【００１８】
請求項６に記載の発明に係る車両用チャイルドシートは、請求項３において、前記ハーネスカバーの前記本体部には、前記開口部の縁部において前記扉部が延出された側とは反対側に、切欠部が形成されている。
【００１９】
請求項６に記載の発明では、上記のようにハーネスカバーの本体部に切欠部が形成されているため、ショルダーパッドをハーネスカバーに対して更に出し入れし易くすることができる。
【００２０】
請求項７に記載の発明に係る車両用チャイルドシートは、請求項１〜請求項６の何れか１項において、前記ショルダーパッドは、可撓性を有する材料によって形成され、前記ショルダーハーネスに沿って配置される長尺な板状部を含む保持部材と、それぞれが前記保持部材よりも硬質な材料によって形成され、前記板状部における前記ショルダーハーネス側の面に、前記板状部の長手方向に間隔をあけて取り付けられた複数の硬質部材と、を有している。
【００２１】
請求項７に記載の発明では、ショルダーパッドが、可撓性を有する材料によって形成された保持部材と、保持部材よりも硬質な材料によって形成された複数の硬質部材とを有している。保持部材は、ショルダーハーネスに沿って配置される長尺な板状部を備えており、この板状部の長手方向に複数の硬質部材が並んでいる。これら複数の硬質部材は、板状部におけるショルダーハーネス側の面に取り付けられているため、複数の硬質部材と乗員の肩部との間に板状部が介在する。これにより、複数の硬質部材のゴツゴツとした感触によって乗員に違和感を与えないようにすることができる。さらに、保持部材は、可撓性を有する材料によって形成されているため、保持部材の板状部における複数の硬質部材の間の部分がヒンジとして機能することにより、板状部を乗員の肩部に良好にフィットさせることができる。これにより、乗員の快適性を確保することができる。
【００２２】
また、車両衝突時には、ショルダーハーネスと板状部との間に位置する複数の硬質部材によって、乗員の肩部からの荷重を良好に支持することができると共に、板状部によって乗員の肩部との受圧面積を確保することができる。これにより、乗員拘束性を良好にすることができる。
【００２３】
請求項８に記載の発明に係る車両用チャイルドシートは、請求項１〜請求項７の何れか１項において、前記ショルダーパッドは、前記ショルダーハーネスの長手方向に沿った長尺状に形成されており、前記ショルダーパッドの長手方向両端部には、それぞれ前記ショルダーハーネスの幅方向両端部に対して乗員とは反対側から対向する一対のガイド爪が設けられている。
【００２４】
請求項８に記載の発明では、ショルダーパッドの長手方向両端部に設けられた一対のガイド爪が、ショルダーハーネスの幅方向両端部に対して乗員とは反対側から対向する。これにより、ショルダーパッドの長手方向両端部をショルダーハーネスに連結することができるので、ショルダーハーネスに対するショルダーパッドの不用意な位置ずれを防止又は抑制することができる。しかも、ハーネスカバーに対してショルダーパッドを出し入れする際には、一対のガイド爪の間からショルダーハーネスの長手方向中間部を出し入れすることができるため、ショルダーパッドの取付け取外しを容易に行うことができる。
【００２５】
請求項９に記載の発明に係るハーネスカバーは、袋状に形成されると共に、車両用チャイルドシートに着座した乗員を拘束するシートベルトに設けられたショルダーハーネスが挿通される一対の挿通孔が形成されて前記ショルダーハーネスに取り付けられ、内部にショルダーパッドを収容すると共に、開口部が形成され、前記ショルダーハーネスに取り付けられた状態で前記開口部から前記ショルダーパッドを出し入れ可能とされる本体部と、前記本体部における前記開口部の縁部から延出され、前記本体部側へ折り返されることにより前記開口部を覆う扉部と、前記本体部側へ折り返された扉部を前記本体部に係止する扉係止部と、を備えている。
【００２６】
請求項８に記載の発明では、袋状に形成された本体部の内部にショルダーパッドが収容される。この本体部は、一対の挿通孔にショルダーハーネスが挿通されることにより、ショルダーハーネスに取り付けられている。また、この本体部には開口部が形成されており、該本体部がショルダーハーネスに取り付けられた状態で、前記開口部からショルダーパッドを出し入れ可能とされている。このため、乗員が乳児か幼児か等に応じて、ショルダーパッドの取付け取外しを容易に行うことができる。また、本体部における開口部の縁部からは、扉部が延出されている。この扉部は、本体部側へ折り返されて本体部の開口部を覆った状態で扉係止部により本体部に係止される。これにより、本体部の内部に収容されたショルダーパッドが開口部を介して外から見えないようにすることができるので、外観を良好にすることができる。また、ショルダーパッドが乗員に接しないようにすることができるので、乗員の快適性を向上させることができる。
【発明の効果】
【００２７】
以上説明したように、本発明に係る車両用チャイルドシート及びハーネスカバーでは、ショルダーパッドの取付け取外しを容易に行うことができる。
【図面の簡単な説明】
【００２８】
【図１】本発明の実施形態に係る車両用チャイルドシートが車両用シートに取り付けられた状態を斜め前方側から見た斜視図である。
【図２】同車両用チャイルドシートを斜め後方から見た斜視図である。
【図３】同車両用チャイルドシートの部分的な構成を示し、同車両用チャイルドシートのシートベルトによって乗員が拘束された状態をシート幅方向から見た断面図である。
【図４】同車両用チャイルドシートが備えるハーネスカバーを示す斜視図である。
【図５】ハーネスカバーと、ハーネスカバー内に収容されるショルダーパッドとを示す斜視図である。
【図６】ショルダーパッドの拡大斜視図である。
【図７】ショルダーパッドの分解斜視図である。
【図８】ショルダーパッドの構成部材である保持部材を裏面側から見た斜視図である。
【図９】ショルダーパッドにおけるショルダーハーネスの連結部周辺の構成を示す拡大断面図である。
【図１０】ショルダーパッドを内部に収容したハーネスカバーをショルダーハーネスに取り付ける際の取り付け方を説明するための斜視図である。
【図１１】ハーネスカバーの挿通孔にショルダーハーネスが挿通されると共に、ショルダーパッドの一対のガイド爪がショルダーハーネスに係合した状態を示す拡大斜視図である。
【図１２】ショルダーハーネスに取り付けられたハーネスカバーに対してショルダーパッドを出し入れする際の状況を説明するための斜視図である。
【発明を実施するための形態】
【００２９】
以下、図１〜図１２を用いて本発明の実施形態に係る車両用チャイルドシート１０及びハーネスカバー１６について説明する。なお、各図中に適宜示される矢印ＦＲは車両前方向を示し、矢印ＵＰは車両上方向を示し、矢印Ｗは車両幅方向を示している。
【００３０】
（全体構成）
図１及び図２に示されるように、本実施形態に係る車両用チャイルドシート１０は、シート本体１２を備えている。このシート本体１２には、シートベルト１４が設けられており、該シートベルト１４には、左右一対のハーネスカバー１６が取り付けられている。これらのハーネスカバー１６の内部には、それぞれショルダーパッド１８（図３参照）が収容されている。以下、各構成要素について説明する。
【００３１】
（シート本体１２の構成）
シート本体１２は、乳児又は幼児の乗員Ｐ（図３参照）が着座するシートクッション２０と、乗員Ｐの背凭れとなるシートバック２２とを備えている。このシート本体１２は、国際標準規格であるＩＳＯＦＩＸに対応したベース２４（図１参照）を介して車両用シート２６に固定されている。なお、シート本体１２の固定方法は上記に限らず、車両又は車両用シート２６に設けられたシートベルトによって、シート本体１２が車両用シート２６に固定される構成にしてもよい。
【００３２】
（シートベルト１４の構成）
シートベルト１４は、シート本体１２に乗員Ｐを拘束するためのものであり、図１に示される如くクロッチストラップ２８と左右一対のショルダーハーネス３０とを有している。クロッチストラップ２８及び左右のショルダーハーネス３０は、何れも長尺帯状に形成されている。クロッチストラップ２８の長手方向一端部は、シートクッション２０の中央部付近に固定されており、クロッチストラップ２８の長手方向他端部には、バックル３２が固定されている。
【００３３】
左側のショルダーハーネス３０は、長手方向一端部がシートクッション２０の左側部の後端部に固定されており、右側のショルダーハーネス３０は、長手方向一端部がシートクッション２０の右側部の後端部に固定されている。また、左右のショルダーハーネス３０は、長手方向他端側がシートバック２２に形成された左右一対のスロット３４（ショルダーハーネス通し穴）に挿通されてシートバック２２の背面側へ引き出されている。左右のスロット３４は、シートバック２２の高さ方向に複数（ここでは３対）並んで形成されており、乗員Ｐの座高に合致したスロット３４にショルダーハーネス３０が挿通される。
【００３４】
図２に示されるように、シートバック２２の背面側へ引き出された左右のショルダーハーネス３０の長手方向他端部には、それぞれ係止部３０Ａが設けられている。各係止部３０Ａは、左右のショルダーハーネス３０の長手方向他端部が折り返されて縫製されることによりループ状に形成されている。これらの係止部３０Ａは、シートバック２２の背面側に設けられた略Ｔ字状の係止金具であるハンガー３６に係脱自在に係止される。このハンガー３６には、調節用ベルトであるハーネスアジャスター３８の長手方向一端部が固定されている。このハーネスアジャスター３８は、シートクッション２０の底面側へ延びており、長手方向他端部がシートクッション２０の前面側へ引き出されている（図１参照）。
【００３５】
左右のショルダーハーネス３０の長手方向中間部には、シートバック２２の前面側において、それぞれタングプレート４０が摺動可能に取り付けられている。シート本体１２に着座した乗員Ｐがシートベルト１４を装着する際には、左右のショルダーハーネス３０を左右の肩部Ｓに掛け回し（図３参照）、左右のタングプレート４０を組み合わせてバックル３２に連結する。次いで、ハーネスアジャスター３８をシートクッション２０の前方側へ引っ張ると、ハンガー３６に係止されている左右のショルダーハーネス３０の長手方向他端部が下方側へ引っ張られ、左右のショルダーハーネス３０の長手方向中間部の弛みが除去される。これにより、乗員Ｐのシートベルト装着状態となる。この装着状態では、左右のショルダーハーネス３０が乗員Ｐの左右の肩部Ｓと対向する（図３参照）。
【００３６】
（ハーネスカバー１６の構成）
左右のハーネスカバー１６は、可撓性を有するシート状の材料（ここでは図４及び図５に示される布材４６）が縫製されて形成されたものであり、乗員Ｐの左右の肩部Ｓと接するように左右のショルダーハーネス３０に取り付けられている。左右のハーネスカバー１６は、図４に示されるようにストラップ４１によって連結されている。
【００３７】
各ハーネスカバー１６は、図５に示されるように、長尺な袋状に形成された本体部４２を備えている。この本体部４２は、略矩形状に切り出された布材４６が折れ線Ｌに沿って折られると共に、折れ線Ｌを介した布材４６の一側部分４６Ａと他側部分４６Ｂとが、本体部４２の長手方向両端部に位置する縫製部Ｔ１、Ｔ２において縫製されることにより形成されている。
【００３８】
本体部４２の長手方向両端部には、一対の挿通孔４８が形成されている。一対の挿通孔４８は、布材４６の一側部分４６Ａに形成されており、本体部４２の幅方向に沿って長尺な長孔状に形成されている。これらの挿通孔４８には、ショルダーハーネス３０の長手方向中間部におけるスロット３４とタングプレート４０との間の部位（以下、拘束部３０Ｂという）が挿通されている。これにより、本体部４２がショルダーハーネス３０に対して長手方向に摺動可能に取り付けられている。この取付状態では、本体部４２の長手方向とショルダーハーネス３０の長手方向とが一致すると共に、本体部４２の幅方向とショルダーハーネス３０の幅方向とが一致する。
【００３９】
この本体部４２の幅方向一端部（折れ線Ｌとは反対側の端部）は縫製されておらず、ショルダーハーネス３０の幅方向一側へ開口した開口部５０が形成されている。この開口部５０は、本体部４２の長手方向を長手とする長尺状に形成されている。この開口部５０の長手方向両端側では、布材４６の一側部分４６Ａと他側部分４６Ｂとがショルダーパッド脱落防止用の縫製部Ｔ３、Ｔ４（図５参照）において縫製されている。これにより、開口部５０の長さ寸法が、本体部４２の長さ寸法よりも短くなっている。なお、縫製部Ｔ３、Ｔ４の部分まで縫製部Ｔ１、Ｔ２が延長されることにより、縫製部Ｔ３、Ｔ４が省略される構成にしてもよい。
【００４０】
上記本体部４２における開口部５０の縁部からは、扉部５２が延出されている。この扉部５２は、布材４６の他側部分４６Ｂによって構成されている。この扉部５２は、図４に示されるように、開口部５０及び一対の挿通孔４８を覆うように本体部４２側へ折り返され、扉係止部としての一対のスナップボタン５４によって本体部４２に係止される。各スナップボタン５４は、本体部４２に固定された凸部材５６と、扉部５２に固定された凹部材５８とによって構成されており、凸部材５６と凹部材５８とが分離可能に係合することによって扉部５２が本体部４２に係止される。なお、扉係止部としては、上記に限らず適宜変更可能である。例えば、面ファスナー等を扉係止部として用いることができる。
【００４１】
さらに、図３に示されるように、上記本体部４２において、乗員Ｐの肩部Ｓと対向する面（布材４６の他側部分４６Ｂにおいて一側部分４６Ａとは反対側の面）には、シート状に形成された滑り止め部６０が取り付けられている。この滑り止め部６０は、例えば合成皮革によって形成されており、縫製等の手段によって本体部４２に固定されている。この滑り止め部６０は、乗員Ｐの肩部Ｓと接する表面の摩擦係数が、本体部４２の表面の摩擦係数よりも高く設定されている。
【００４２】
また、図５に示されるように、本体部４２には、開口部５０の縁部において扉部５２が延出された側とは反対側（一側部分４６Ａによって構成された部分）に、切欠部６２が形成されている。この切欠部６２は、本体部４２の長手方向中央部に形成されており、折れ線Ｌ側へ向けて略矩形状に切り欠かれている。
【００４３】
なお、図４に示されるように、左右のハーネスカバー１６は、左右対称に形成されている。これらのハーネスカバー１６は、シートバック２２の背面側から左右のスロット３４に挿通されてシートバック２２の前面側へ引き出される。これにより、図２に示される如くストラップ４１の長手方向中間部がシートバック２２の背面側に引っ掛かり、左右のハーネスカバー１６がシートバック２２に連結される。これら左右のハーネスカバー１６の内部には、それぞれショルダーパッド１８が収容されている。
【００４４】
（ショルダーパッド１８の構成）
図６及び図７に示されるように、ショルダーパッド１８は、ハーネスカバー１６とは別体に構成されている。このショルダーパッド１８は、可撓性を有する材料（ここではエストラマー系のゴム）によって形成された保持部材６４と、保持部材６４の材料よりも硬質な材料（ここではポリプロピレン等の樹脂）によって形成された複数（ここでは７つ）のインサート６８（硬質部材）とによって形成されている。
【００４５】
保持部材６４は、図７及び図８に示されるように、長尺板状に形成された板状部７０と、板状部７０の一方の面に形成された複数（ここでは７つ）の保持部７２とによって構成されており、全体として長尺な略板状に形成されている。
【００４６】
複数の保持部７２は、板状部７０の長手方向に間隔をあけて並んでいる。各保持部７２は、板状部７０の幅方向両端部から突出した一対の突出部７４と、一対の突出部７４を板状部７０の幅方向に連結した一対のズレ止め部７６とを備えており、板状部７０の板厚方向から見て枠状に形成されている。
【００４７】
各突出部７４は、板状部７０の長手方向に沿って長尺状に形成されており、板状部７０の幅方向内側へ向けて開口している。また、一対の突出部７４の間隔は、ショルダーハーネス３０の幅寸法よりも広く設定されている。一対のズレ止め部７６は、一対の突出部７４よりも板状部７０からの突出高さが低く設定されており、一対の突出部７４の長手方向両端部間に掛け渡されている。
【００４８】
図８に示されるように、板状部７０には、各突出部７４と対向する部位にそれぞれ略矩形状の貫通孔７８が形成されている。これらの貫通孔７８には、保持部材６４の成形時に、各突出部７４を成形するために金型に設けられた凸部が挿入される。これにより、スライド型を用いずに保持部材６４を成形できるようになっている。
【００４９】
一方、複数のインサート６８は、保持部材６４の長手方向両端部に位置する一対の保持部７２に保持された一対の連結用インサート６８Ａ（連結用の硬質部材）と、一対の保持部７２の間に位置する複数（ここでは５つ）の保持部７２にそれぞれ保持された複数の非連結用インサート６８Ｂ（非連結用の硬質部材）とによって構成されている。連結用インサート６８Ａ及び非連結用インサート６８Ｂは、板状部７０の幅方向を長手とする長尺状に形成されており、長さ寸法がショルダーハーネス１８の幅寸法よりも十分に大きく設定されている。
【００５０】
一対の連結用インサート６８Ａは、板状部７０の幅方向を長手とする長尺な略角柱状に形成された内側ガイド部８０と、内側ガイド部８０の長手方向両端部から略鍔状に延出された一対の側壁部８２と、一対の側壁部８２から互いに接近する方向へ突出した一対のガイド爪８４（外側ガイド部）と、一対の側壁部８２における内側ガイド部８０とは反対側の面から突出した一対の嵌合部８６とによって構成されている。内側ガイド部８０と一対のガイド爪８４は、ショルダーパッド１８をショルダーハーネス３０に摺動可能に連結するための連結部を構成しており、一対のガイド爪８４（外側ガイド部）がショルダーハーネス３０の幅方向に分割された構成になっている。
【００５１】
各連結用インサート６８Ａにおける一対の嵌合部８６（長手方向両端部）は、保持部材６４の長手方向端部に位置する保持部７２における一対の突出部７４の内側に嵌合している。また、各連結用インサート６８Ａは、一対のズレ止め部７６の間に嵌っており、板状部７０の長手方向への変位を規制されている。これにより、各連結用インサート６８Ａが保持部材６４の長手方向端部に保持されている。
【００５２】
上記一対の連結用インサート６８Ａは、同一の形状に形成されており、一対のガイド爪８４が内側ガイド部８０に対して板状部７０の長手方向にずれると共に、板状部７０から離れる方向にずれている。但し、一対の連結用インサート６８Ａは、保持部材６４に取り付けられる方向が相違しており、一対のガイド爪８４が内側ガイド部８０に対して板状部７０の長手方向中央側に位置するように保持部材６４に取り付けられている。
【００５３】
また、図９に示されるように、各連結用インサート６８Ａの内側ガイド部８０には、保持部材６４の長手方向中央側へ向かうほど板状部７０からの突出高さを減少させるように傾斜又は湾曲（ここでは傾斜）したガイド面８０Ａが設けられており、当該ガイド面８０Ａが一対のガイド爪８４と対向している。
【００５４】
一方、非連結用インサート６８Ｂは、長尺板状に形成された部材本体９０と、部材本体９０の両面に設けられたリブ部９２とによって構成されている。この非連結用インサート６８Ｂは、部材本体９０の両面側が同一の構成とされており、全体として長尺な略板状に形成されている。なお、本実施形態では、部材本体９０の長手方向に延びる３つの縦リブと部材本体９０の幅方向に延びる３つの横リブとが格子状（田の字状）に結合されてリブ部９２が構成されているが、これに限らず、リブ部の形状は適宜変更可能である。
【００５５】
複数の非連結用インサート６８Ｂは、各々に対応する保持部７２における一対の突出部７４の内側に長手方向両端部が嵌合している。また、複数の非連結用インサート６８Ｂは、各々に対応する保持部７２における一対のズレ止め部７６の間に嵌り込んでおり、板状部７０の長手方向への変位を規制されている。これにより、複数の非連結用インサート６８Ｂが一対の連結用インサート６８Ａの間において保持部材６４の長手方向中央側に取り付けられている。
【００５６】
（本実施形態の要部について）
上記構成のショルダーパッド１８は、ハーネスカバー１６の本体部４２内に収容されており、ハーネスカバー１６によって覆われている。図３に示されるように、ハーネスカバー１６内のショルダーパッド１８は、保持部材６４の長手方向（板状部７０の長手方向）がショルダーハーネス３０の拘束部３０Ｂの長手方向に沿い、且つ、複数のインサート６８が板状部７０に対してショルダーハーネス３０側に位置するように配置されている。このため、乗員Ｐがシートベルト１４を装着した状態では、乗員Ｐの肩部Ｓと複数のインサート６８との間に保持部材６４の板状部７０が介在される。なお、図３では、複数のインサート６８を概略的に記載している。
【００５７】
図３及び図９に示されるように、ショルダーハーネス３０の拘束部３０Ｂは、一対の連結用インサート６８Ａにおける一対のガイド爪８４と内側ガイド部８０との間に挿通されている。一対のガイド爪８４は、ショルダーハーネス３０における乗員側の面と対向（係合）し、内側ガイド部８０は、ショルダーハーネス３０における乗員とは反対側の面と対向（係合）する。これにより、ショルダーパッド１８がショルダーハーネス３０に対して長手方向にスライド可能に連結されると共に、ショルダーハーネス３０に対するショルダーパッド１８の幅方向の位置ずれが規制されている。ショルダーハーネス３０の拘束部３０Ｂは、一対の連結用インサート６８Ａの間の部分が非連結用インサート６８Ｂに接しており、ショルダーパッド１８がショルダーハーネス３０に対して長手方向に摺動される際には、非連結用インサート６８Ｂのリブ部９２がショルダーハーネス３０と摺接する。また、このショルダーパッド１８では、上述の如くショルダーハーネス３０に対する幅方向に位置ずれを規制されることにより、ゴム製の保持部材６４がショルダーハーネス３０に接しないように構成されている。
【００５８】
ショルダーパッド１８の大きさは、ハーネスカバー１６の本体部４２よりも若干小さく形成されており、ショルダーパッド１８は本体部４２内にガタ無く収容されるように構成されている。このため、ショルダーパッド１８は、ハーネスカバー１６と一体的にショルダーハーネス３０に対して長手方向に摺動される。
【００５９】
ハーネスカバー１６の一対の挿通孔４８は、各連結用インサート６８Ａの一対のガイド爪８４と対向する位置に形成されており、各挿通孔４８を介して一対のガイド爪８４が本体部４２の外側に露出するようになっている。また、本実施形態では、一対の連結用インサート６８Ａ及び複数の非連結用インサート６８Ｂは、ショルダーハーネス３０とは異なる色を呈している。例えば、一対の連結用インサート６８Ａ及び複数の非連結用インサート６８Ｂがピンク色の樹脂によって成形されているのに対し、ショルダーハーネス３０が黒色の繊維によって形成されている。
【００６０】
また、ハーネスカバー１６の本体部４２には、前述したように開口部５０が形成されており、当該開口部５０からショルダーパッド１８を出し入れすることができる。但し、開口部５０の長さ寸法は、ショルダーパッド１８の長さ寸法よりも短く設定されており、ショルダーパッド１８を本体部４２に出し入れする際には、ショルダーパッド１８が曲げられる構成になっている。
【００６１】
（ハーネスカバー１６及びショルダーパッド１８の取付けについて）
前述したハーネスカバー１６及びショルダーパッド１８がショルダーハーネス３０に取り付けられる際には、先ず図５に矢印Ｅで示されるように、ハーネスカバー１６の開口部５０を介して本体部４２内にショルダーパッド１８が挿入される。次いで、ショルダーハーネス３０の係止部３０Ａ（長手方向他端部）が、図１０に矢印Ｆで示されるように、本体部４２の一方の挿通孔４８から本体部４２内に挿入され、他方の挿通孔４８から本体部４２の外側へ引き出される。この際には、各連結用インサート６８Ａの一対のガイド爪８４と内側ガイド部８０との間にショルダーハーネス３０が挿通される（図１１参照）。次いで、ハーネスカバー１６の扉部５２が本体部４２側へ折り返され、一対のスナップボタン５４によって本体部４２に係止される。
【００６２】
本体部４２の外側へ引き出されたショルダーハーネス３０の係止部３０Ａは、シートバック２２のスロット３４に挿通され、シートバック２２の背面側でハンガー３６に係止される。これにより、ハーネスカバー１６及びショルダーパッド１８のショルダーハーネス３０への取付けが完了する。
【００６３】
また、本実施形態では、ハーネスカバー１６がショルダーパッド１８を出し入れするための開口部５０を備えているため、図１２に示されるように、ハーネスカバー１６がショルダーハーネス３０に取り付けられた状態（以下、カバー取付状態という）においても、ハーネスカバー１６及びショルダーハーネス３０からショルダーパッド１８を取付け取外しすることができる。
【００６４】
例えば、カバー取付状態において、ハーネスカバー１６及びショルダーハーネス３０からショルダーパッド１８を取り外す際には、先ず、ハーネスカバー１６の扉部５２を開いて開口部５０及び一対の挿通孔４８を露出させる。次いで、一対のガイド爪８４の間からショルダーハーネス３０の拘束部３０Ｂを引き出すことにより、ショルダーハーネス３０に対するショルダーパッド１８の連結を解除する。次いで、ショルダーパッド１８を若干曲げつつ、開口部５０からハーネスカバー１６の外側へショルダーパッド１８を取り出す。
【００６５】
一方、カバー取付状態において、ハーネスカバー１６内にショルダーパッド１８を取り付ける際には、ショルダーパッド１８を若干曲げつつ、開口部５０からハーネスカバー１６の内側へショルダーパッド１８を挿入する。次いで、一対のガイド爪８４の間にショルダーハーネス３０の拘束部３０Ｂを挿入し、一対のガイド爪８４を拘束部３０Ｂの幅方向両端部に引っ掛ける。次いで、ハーネスカバー１６の扉部５２を本体部４２側へ折り返して一対のスナップボタン５４により本体部４２に係止する。
【００６６】
（作用及び効果）
次に、本実施形態の作用及び効果について説明する。
【００６７】
本実施形態では、ハーネスカバー１６に形成された一対の挿通孔４８にショルダーハーネス３０が挿通されることにより、ハーネスカバー１６がショルダーハーネス３０に取り付けられている。このハーネスカバー１６は、袋状に形成されており、このハーネスカバー１６の内部に収容されたショルダーパッド１８が、乗員Ｐの肩部Ｓとショルダーハーネス３０との間に介在される。これにより、車両衝突時に、乗員Ｐの肩部Ｓを効果的に拘束することが可能になり、胸部への圧迫を緩和しつつ、乗員Ｐの前方への動きを効果的に制限することができる。
【００６８】
しかも、上記のハーネスカバー１６には開口部５０が形成されており、該ハーネスカバー１６がショルダーハーネス３０に取り付けられた状態で、開口部５０からショルダーパッド１８を出し入れ可能とされている。このため、乗員Ｐの体格や乗員Ｐが乳児か幼児か等に応じて、ショルダーパッド１８の取付け取外しを容易に行うことができる。例えば、小さな幼児に対して大きなショルダーパッド１８が設定されると、幼児が重く煩わしいと感じることがあるため、幼児モードではショルダーパッド１８を取り外す一方、乳児モードではショルダーパッド１８を取り付ける等の選択を自由に行うことができる。また、ハーネスカバー１６とショルダーパッド１８とが別体に構成されているため、ショルダーパッド１８の仕様を変更する際には、ハーネスカバー１６を一緒に変更する必要がない。これにより、低コスト化を図ることができる。
【００６９】
また、本実施形態では、ハーネスカバー１６の開口部５０が、ショルダーハーネス３０の幅方向一側へ開口しているため、ショルダーハーネス３０の長手方向一側へ開口している場合と比較して、ショルダーパッド１８の出し入れを容易に行うことができる。
【００７０】
さらに、本実施形態では、ハーネスカバー１６において袋状に形成された本体部４２内にショルダーパッド１８が収容される。この本体部４２には、ショルダーハーネス３０が挿通される一対の挿通孔４８と、ショルダーパッド１８を出し入れするための開口部５０とが形成されており、開口部５０の縁部からは、扉部５２が延出されている。この扉部５２は、本体部４２側へ折り返されて本体部４２の開口部５０及び一対の挿通孔４８を覆った状態でスナップボタン５４により本体部４２に係止される。これにより、本体部４２の内部に収容されたショルダーパッド１８が開口部５０及び一対の挿通孔４８を介して外から見えないようにすることができるので、外観を良好にすることができる。また、ショルダーパッド１８が乗員Ｐに接しないようにすることができるので、乗員Ｐの快適性を向上させることができる。
【００７１】
また、本実施形態では、ハーネスカバー１６の本体部４２において乗員Ｐの肩部Ｓと対向する面には、滑り止め部６０が取り付けられている。この滑り止め部６０は、ハーネスカバー１６の本体部４２よりも表面の摩擦係数が高く設定されている。このため、ハーネスカバー１６及び該ハーネスカバー１６内に収容されたショルダーパッド１８が乗員Ｐの肩部Ｓに対して不用意に位置ずれしないようにすることができる。
【００７２】
またさらに、本実施形態では、ハーネスカバー１６の開口部５０がショルダーパッド１８よりも短く形成されており、ショルダーパッド１８がハーネスカバー１６に出し入れされる際にはショルダーパッド１８が曲げられる。つまり、ショルダーパッド１８を曲げなければショルダーパッド１８をハーネスカバー１６に出し入れできないため、ショルダーパッド１８がハーネスカバー１６から不用意に脱落することや、ハーネスカバー１６に対して不用意に位置ずれすることを防止又は抑制できる。
【００７３】
また、本実施形態では、ハーネスカバー１６の本体部４２には、開口部５０の縁部において扉部５２が延出された側とは反対側に、切欠部６２が形成されている。これにより、ショルダーパッド１８をハーネスカバー１６に出し入れし易くすることができる。
【００７４】
また、本実施形態では、ショルダーパッド１８が、可撓性を有する材料によって形成された保持部材６４と、保持部材６４よりも硬質な材料によって形成された複数のインサート６８とを有している。保持部材６４は、ショルダーハーネス３０に沿って配置される長尺な板状部７０を備えており、この板状部７０の長手方向に複数のインサート６８が並んでいる。これら複数のインサート６８は、板状部７０におけるショルダーハーネス３０側の面に取り付けられているため、複数のインサート６８と乗員Ｐの肩部Ｓとの間に板状部７０が介在する。これにより、複数のインサート６８のゴツゴツとした感触によって乗員Ｐに違和感を与えないようにすることができる。さらに、保持部材６４は、可撓性を有する材料によって形成されているため、保持部材６４の板状部７０における複数のインサート６８の間の部分がヒンジとして機能することにより、板状部７０を乗員Ｐの肩部Ｓに良好にフィットさせることができる。これにより、乗員Ｐの快適性を確保することができる。また、車両衝突時には、ショルダーハーネス３０と板状部７０との間に位置する複数のインサート６８によって、乗員Ｐの肩部Ｓからの荷重を良好に支持することができると共に、板状部７０によって乗員Ｐの肩部Ｓとの受圧面積を確保することができる。これにより、乗員拘束性を良好にすることができる。
【００７５】
さらに、本実施形態では、ショルダーパッド１８の長手方向両端部に設けられた一対のガイド爪８４が、ショルダーハーネス３０の幅方向両端部に対して乗員Ｐとは反対側から対向する。これにより、ショルダーパッド１８の長手方向両端部をショルダーハーネス３０に連結することができるので、ショルダーハーネス３０に対するショルダーパッド１８の不用意な位置ずれを防止又は抑制することができる。しかも、ハーネスカバー１６に対してショルダーパッド１８を出し入れする際には、一対のガイド爪８４の間からショルダーハーネス３０の拘束部３０Ｂ（長手方向中間部）を出し入れすることができるため、ショルダーパッド１８の取付け取外しを容易に行うことができる。
【００７６】
（実施形態の補足説明）
上記実施形態では、ショルダーパッド１８が一対のガイド爪８４によってショルダーハーネス３０に連結される構成にしたが、本発明はこれに限らず、一対のガイド爪８４が省略された構成にしてもよい。
【００７７】
また、上記実施形態では、ショルダーパッド１８が、ゴム製の保持部材６４と、該保持部材６４に取り付けられた複数の樹脂製のインサート６８（硬質部材）とを備えた構成にしたが、本発明はこれに限らず、ショルダーパッドの構成は適宜変更することができる。例えば、ショルダーパッドの全体がゴムによって形成された構成にしてもよい。
【００７８】
また、上記実施形態では、ハーネスカバー１６の本体部４２に切欠部６２が形成された構成にしたが、本発明はこれに限らず、本体部に切欠部が形成されていない構成にしてもよい。
【００７９】
また、上記実施形態では、ハーネスカバー１６の開口部５０が、ショルダーパッド１８よりも短く形成された構成にしたが、本発明はこれに限らず、ハーネスカバーの開口部がショルダーパッドよりも長く形成された構成にしてもよいし、ショルダーパッドと同等の長さに形成された構成にしてもよい。
【００８０】
また、上記実施形態では、ハーネスカバー１６が滑り止め部６０を備えた構成にしたが、本発明はこれに限らず、滑り止め部６０が省略された構成にしてもよい。
【００８１】
また、上記実施形態では、ハーネスカバー１６が扉部５２及びスナップボタン５４（扉係止部）を備えた構成にしたが、本発明はこれに限らず、ハーネスカバーに扉部及び扉係止部が設けられず、本体部の開口部がファスナー等によって開閉される構成にしてもよい。
【００８２】
また、上記実施形態では、ハーネスカバー１６の開口部５０が、ショルダーハーネス３０の幅方向に開口した構成にしたが、本発明はこれに限らず、ハーネスカバーの開口部がショルダーハーネスの長手方向に開口した構成にしてもよい。
【００８３】
その他、本発明は、その要旨を逸脱しない範囲で種々変更して実施できる。また、本発明の権利範囲が上記実施形態に限定されないことは勿論である。
【符号の説明】
【００８４】
１０      車両用チャイルドシート
１２      シート本体
１４      シートベルト
１６      ハーネスカバー
１８      ショルダーパッド
３０      ショルダーハーネス
４２      本体部
４８      挿通孔
５０      開口部
５２      扉部
５４      スナップボタン（扉係止部）
６０      滑り止め部
６２      切欠部
６４      保持部材
６８      インサート（硬質部材）
７０      板状部
７２      保持部
８４      ガイド爪
【図１】
0005643281.tif 000002
【図２】
0005643281.tif 000003
【図３】
0005643281.tif 000004
【図４】
0005643281.tif 000005
【図５】
0005643281.tif 000006
【図６】
0005643281.tif 000007
【図７】
0005643281.tif 000008
【図８】
0005643281.tif 000009
【図９】
0005643281.tif 000010
【図１０】
0005643281.tif 000011
【図１１】
0005643281.tif 000012
【図１２】
0005643281.tif 000013